(57)【特許請求の範囲】
【請求項１】
匂いを発散して害虫を誘引する薬剤収納筒２の上端に外向きフランジ状板３を付設した底板１と、
上記外向きフランジ状板３外周へ下方大径のテーパ状周壁１１を嵌合させて、該テーパ状周壁外面を害虫登り面に形成すると共に、該テーパ状周壁上端に内向きフランジ状頂壁１２を付設して、該頂壁下面と上記外向きフランジ状板上面との間の空間を上記薬剤収納筒２へ連通する捕獲室１３に形成し、かつ内向きフランジ状頂壁１２に上記捕獲室へ連通する落下口１６を形成すると共に、内向きフランジ状頂壁１２内周部を起立して嵌合筒１４に形成した容器本体１０と、
上記容器本体嵌合筒１４へ嵌着させた嵌着筒２１を垂下する蓋板２２の外周部を、上記害虫登り面上方を覆う下方大径の傾斜面部２３に形成して、該傾斜面部下面と害虫登り面との間隙を、上記落下口１６を介して薬剤収納筒２に連通する匂い発散空間に形成した蓋２０とからなり、
上記害虫登り面を、害虫滑り防止用の粗面に形成すると共に、該害虫登り面を形成するテーパ状周壁１１下端面を上記薬剤収納筒２下面と同一ないしは該下面よりも低く位置させた
ことを特徴とする害虫捕獲容器。
【請求項２】
上記容器本体内向きフランジ状頂壁１２に、害虫が抜出し不能な凹溝１５を周設した
ことを特徴とする請求項１記載の害虫捕獲容器。
【請求項３】
匂いを発散して害虫を誘引する薬剤収納筒４１の上端に外向きフランジ状板４２を付設して、該板の内周部を下方大径の第１テーパ状周壁４３に、又、該板の径方向中間部を起立して外周壁４４に、更に該板の外周部を下方大径の第２テーパ状周壁４５に、それぞれ形成して、該第２テーパ状周壁外面を害虫登り面に形成すると共に、第１および第２テーパ状周壁４３、４５外面を害虫滑り防止用の粗面に形成した容器本体４０と、
上記外周壁４４へ下部を抜出し不能に嵌着させた嵌合筒１４に害虫入口５４を形成すると共に、該嵌合筒を垂設する蓋板５２を上記第２テーパ状周壁４５上端よりも大径にして、該蓋板５２外周部と上記外向きフランジ状板４２外周部との間隙を上記害虫入口５４を介して薬剤収納筒４１に連通する匂い発散空間５３に形成した蓋５０とからなり、
上記第２テーパ状周壁４５下端面を、上記薬剤収納筒４１下面と同一ないしは該下面よりも低く位置させた
ことを特徴とする害虫捕獲容器。
【請求項４】
上記第２テーパ状周壁４５上端に環状突条４７を周設して、該突条と上記嵌合筒５１下部外面との間に害虫が抜出し不能な周方向への凹溝を形成した
ことを特徴とする請求項３記載の害虫捕獲容器。
【請求項５】
害虫登り面を形成するテーパ状周壁１１、４５に切離し線と折曲線とを形成して、これらで囲成する周壁部分を設置面へ突刺し可能な周壁固定用の突刺片３０となした
ことを特徴とする請求項１、２、３又は４記載の害虫捕獲容器。
【発明の詳細な説明】
【０００１】
【発明の属する技術分野】
本発明は団子虫等の害虫を捕獲する害虫捕獲容器に関する。
【０００２】
【従来の技術】
体長が１ｃｍ内外で、畑や庭の石下などに多く、植物を食害する団子虫の駆除は害虫駆除剤等の散布によっていた。
【０００３】
【発明が解決しようとする課題】
害虫駆除剤を用いることなく団子虫を駆除することが求められていた。
【０００４】
本発明は害虫駆除剤によることなく、団子虫等の害虫を捕獲するものである。
【０００５】
【課題を解決するための手段】
第１の手段として、匂いを発散して害虫を誘引する薬剤収納筒２の上端に外向きフランジ状板３を付設した底板１と、
上記外向きフランジ状板３外周へ下方大径のテーパ状周壁１１を嵌合させて、該テーパ状周壁外面を害虫登り面に形成すると共に、該テーパ状周壁上端に内向きフランジ状頂壁１２を付設して、該頂壁下面と上記外向きフランジ状板上面との間の空間を上記薬剤収納筒２へ連通する捕獲室１３に形成し、かつ内向きフランジ状頂壁１２に上記捕獲室へ連通する落下口１６を形成すると共に、内向きフランジ状頂壁１２内周部を起立して嵌合筒１４に形成した容器本体１０と、
上記容器本体嵌合筒１４へ嵌着させた嵌着筒２１を垂下する蓋板２２の外周部を、上記害虫登り面上方を覆う下方大径の傾斜面部２３に形成して、該傾斜面部下面と害虫登り面との間隙を、上記落下口１６を介して薬剤収納筒２に連通する匂い発散空間に形成した蓋２０とからなり、
上記害虫登り面を、害虫滑り防止用の粗面に形成すると共に、該害虫登り面を形成するテーパ状周壁１１下端面を上記薬剤収納筒２下面と同一ないしは該下面よりも低く位置させた。
【０００６】
第２の手段として、第１の手段を有すると共に、上記容器本体内向きフランジ状頂壁１２に、害虫が抜出し不能な凹溝１５を周設した。
【０００７】
第３の手段として、匂いを発散して害虫を誘引する薬剤収納筒４１の上端に外向きフランジ状板４２を付設して、該板の内周部を下方大径の第１テーパ状周壁４３に、又、該板の径方向中間部を起立して外周壁４４に、更に該板の外周部を下方大径の第２テーパ状周壁４５に、それぞれ形成して、該第２テーパ状周壁外面を害虫登り面に形成すると共に、第１および第２テーパ状周壁４３、４５外面を害虫滑り防止用の粗面に形成した容器本体４０と、
上記外周壁４４へ下部を抜出し不能に嵌着させた嵌合筒１４に害虫入口５４を形成すると共に、該嵌合筒を垂設する蓋板５２を上記第２テーパ状周壁４５上端よりも大径にして、該蓋板５２外周部と上記外向きフランジ状板４２外周部との間隙を上記害虫入口５４を介して薬剤収納筒４１に連通する匂い発散空間５３に形成した蓋５０とからなり、
上記第２テーパ状周壁４５下端面を、上記薬剤収納筒４１下面と同一ないしは該下面よりも低く位置させた。
【０００８】
第４の手段として、第３の手段を有すると共に、上記第２テーパ状周壁４５上端に環状突条４７を周設して、該突条と上記嵌合筒５１下部外面との間に害虫が抜出し不能な周方向への凹溝を形成した。
【０００９】
第５の手段として、第１、２、３又は４の手段を有すると共に、害虫登り面を形成するテーパ状周壁１１、４５に切離し線と折曲線とを形成して、これらで囲成する周壁部分を設置面へ突刺し可能な周壁固定用の突刺片３０となした。
【００１０】
【発明の実施の形態】
図１ないし図３は本発明に係る害虫捕獲容器の第１の実施形態を示す。
１は底板で、薬剤収納筒２の上端に付設した外向きフランジ状板３の縦断面形状を逆向きへの字状、すなわち外向きフランジ状板３の内周部を下方大径の第１テーパ部４に形成すると共に、外周部を第１テーパ部４下端から斜め上外方へ起立する第２テーパ部５に形成する。
なお、薬剤収納筒２に収納する薬剤としては、発散する匂いで団子虫を誘引する薬剤を使用するが、好ましくは殺虫能力もあることが望ましい。
【００１１】
１０は容器本体で、外向きフランジ状板３の外周へ凹凸の係合手段を介して抜出し不能に嵌合させた下方大径のテーパ状周壁１１の上端に内向きフランジ状頂壁１２を付設して、該内向きフランジ状頂壁１２と外向きフランジ状板３との間の空間を捕獲室１３に形成する。
【００１２】
そして、内向きフランジ状頂壁１２の内周部を起立して嵌合筒１４に形成すると共に、請求項２記載のように頂壁１２外周部に団子虫が抜出し不能な凹溝１５を形成し、さらに、該凹溝下面に複数の落下口１６を穿設する。この落下口１６は、外向きフランジ状板３の第１テーパ部４の上方、換言すれば外向きフランジ状板３の底部よりも内方に位置させることが好ましい。
【００１３】
テーパ状周壁１１外面は団子虫の登り面を形成するものであるから、滑り防止が必要であり、このため周壁外面を梨子地等の粗面に形成する。
また、テーパ状周壁１１の下端面と薬剤収納筒２下面とは図示例のように同一面上に位置させるが、前者を後者よりも低く位置させてもよい。このようにすることによりテーパ状周壁１１下端面と地面等の設置面との間に間隙が生じないため、団子虫は確実にテーパ状周壁１１を這い上がることができる。
【００１４】
２０は蓋で、容器本体１０の嵌合筒１４内面へ凹凸の係合手段を介して抜出し不能に嵌着させた嵌着筒２１を垂下する蓋板２２の外周部を、テーパ状周壁１１の上方を覆う下方大径の傾斜面部２３に形成して、該傾斜面部下面とテーパ状周壁１１外面との間隙を、団子虫が移動可能で、かつ落下口１６を介して薬剤収納筒２に連通する匂い発散空間に形成する。
【００１５】
なお、テーパ状周壁１１に径方向への切離し線と周壁下端部に位置する周方向への折曲線とを形成して、これらが囲成する周壁部分を、先端が鋭角形状に尖った径方向へ細長い突刺片３０に形成するのが好ましい。このような突刺片３０は周方向に複数設ける。突刺片３０を地面等の設置面に突き刺すことによりテーパ状周壁１１の固定が可能になる。
【００１６】
次に本実施形態の作用について説明する。
団子虫を捕獲するには、容器を地面等の設置面に載置する。その際、テーパ状周壁１１から切り離して下方へ折曲した突刺片３０を設置面へ突き刺すことで容器本体１０をより強固に固定することができる。
傾斜面部２３とテーパ状周壁１１との間隙からは薬剤収納筒２からの匂いが発散しており、この匂いに誘引されて団子虫がテーパ状周壁１１を這い上がる。この周壁１１外面は粗面に形成されているため滑ることなく登ることができる。
【００１７】
テーパ状周壁１１上端から内向きフランジ状頂壁１２に達した団子虫は匂いに誘引されるため引き返すことがないが、これを確実にすべく内向きフランジ状頂壁に、入り込んだら抜出し不能な凹溝１５を設けておくことが好ましい。内向きフランジ状頂壁１２または凹溝１５に達した団子虫は嵌合筒１４の周囲を動き回る間に落下口１６から第１テーパ部４上に落下し、さらに、ここを這い上がって薬剤収納筒２内に誘引される。
【００１８】
なお、容器本体１０は互いに嵌合可能な形状であるから、図３に示すように複数の容器本体１０を互いに嵌合させて積み重ねることができ、このため出荷時において嵩を小さくすることができる。
【００１９】
図４ないし図６は本発明に係る害虫捕獲容器の第２の実施形態を示す。
４０は容器本体で、薬剤収納筒４１の上端に外向きフランジ状板４２を付設して、該フランジ状板の内周部を下方大径の第１テーパ状周壁４３に、また、フランジ状板の径方向中間部を起立して外周壁４４に、さらに、フランジ状板の外周部を外周壁４４よりやや高い下方大径の第２テーパ状周壁４５に、それぞれ形成する。
【００２０】
そして、第１テーパ状周壁４３と外周壁４４との間の外向きフランジ状板部分は薬剤収納筒４１下面とほぼ同一平面上に位置させると共に、外周壁４４と第２フランジ状周壁４５との間の外向きフランジ状板部分は外周壁４４上端と第２テーパ状周壁４５上端との間に位置させて下内方へやや傾斜する傾斜面４６に形成して、該傾斜面の外周部に環状突条４７を周設する。また、外周壁４４の上部は上向き段部を介して大外径部に形成する。
【００２１】
後述するように、第１および第２テーパ状周壁４３、４５は団子虫の登り面を形成するため、滑りを防止すべく梨子地等の粗面に形成する。
なお、第２テーパ状周壁４５に径方向への切離し線と周壁下端部に位置する周方向への折曲線とを形成して、これらが囲成する周壁部分を、先端が鋭角形状に尖った径方向へ細長い突刺片３０に形成してもよいこと第１の実施形態と同様である。
【００２２】
５０は蓋で、外周壁４４の大外径部内面へ、嵌合筒５１の下端部を凹凸の係合手段を介して抜出し不能に嵌着させると共に、該嵌合筒５１を垂下する蓋板５２を第２テーパ状周壁４５上端よりも大径にして、嵌合筒５１よりも外方の蓋板５２部分とこれより下方の傾斜面４６との間隙を匂い発散空間５３に形成する。また、嵌合筒５１の周壁に、周方向に所定の間隔をおいて下端面開口の開口部からなる複数の害虫入口５３を形成する。
【００２３】
なお、第１の実施形態と同様の趣旨により、第２テーパ状周壁４５の下端面を薬剤収納筒２下面よりも低く位置させるか、または両者を同一高さに位置させる。
【００２４】
次に本実施形態の作用について説明する。
団子虫を捕獲するには、第１の実施形態と同様にして容器を設置面に設置すればよく、すると匂い発散空間５３からの匂いに誘引されて、団子虫が第２テーパ状周壁４５を這い上がり環状突条４７を乗り越えて、該突条と嵌合筒５１下部とが形成する凹溝内へ入り込み、さらに、害虫入口５４から入って第１テーパ状周壁４３と外周壁４４との間の外向きフランジ状板部分上へ落下し、さらに、第１テーパ状周壁４３を這い上がって薬剤収納筒４１内へ誘引される。
【００２５】
なお、第１の実施形態と同様に容器本体４０は互いに嵌合可能であり、このため図６に示すように複数の容器本体４０を互いに嵌合させて積み重ねることが可能である。
上記では団子虫を例に挙げて説明したが、これに限らず薬剤の種類を変えることにより他の害虫にも使用できることはいうまでもない。
【００２６】
【発明の効果】
請求項１及び３に係る発明は、薬剤収納筒から発散する匂いで害虫を誘引して捕獲可能であるから、害虫駆除剤を使用する必要がない。
また、害虫登り面を形成するテーパ状周壁外面を粗面に形成したので、平滑面を這うことが困難な害虫でも捕獲することができる。
【００２７】
請求項１に係る発明は、蓋板の外周部を、害虫登り面上方を覆う下方大径の傾斜面部に形成したので、薬剤収納筒からの匂いを容器本体の周囲に発散させることが可能である。
【００２８】
請求項３に係る発明は、蓋板を平板状に形成したので、薬剤収納筒からの匂いを容器本体から比較的離れた箇所にまで発散させることができる。
また、容器は、容器本体と蓋との２部品であるから、部品点数が少なくコスト低減が図れる。
【００２９】
請求項２及び４に係る発明は、害虫が抜け出ることが不能な凹溝を形成したので、捕獲の確実性が増大する。
【００３０】
請求項５に係る発明は、突刺片を設けたので、容器本体の固定をより強固にすることができる。
【図面の簡単な説明】
【図１】本発明に係る害虫捕獲容器の第１の実施形態を示す半断面図。
【図２】同じく、容器本体から蓋を外した状態を示す斜視図。
【図３】同じく、容器本体を積み重ねた出荷時の状態を示す斜視図。
【図４】本発明に係る害虫捕獲容器の第２の実施形態を示す半断面図。
【図５】同じく、容器本体から蓋を外した状態を示す斜視図。
【図６】同じく、容器本体を積み重ねた出荷時の状態を示す斜視図。
【符号の説明】
１  底板                              ５１  嵌合筒
２  薬剤収納筒                        ５２  蓋板
３  外向きフランジ状板                ５３  匂い発散空間
１０  容器本体                        ５４  害虫入口
１１  テーパ状周壁
１２  内向きフランジ状頂壁
１３  捕獲室
１４  嵌合筒
１５  凹溝
１６  落下口
２０  蓋
２１  嵌着筒
２２  蓋板
２３  傾斜面部
３０  突刺片
４０  容器本体
４１  薬剤収納筒
４２  外向きフランジ状板
４３  第１テーパ状周壁
４４  外周壁
４５  第２テーパ状周壁
４７  環状突条
５０  蓋
【図１】
0003678981.tif 000002
【図２】
0003678981.tif 000003
【図３】
0003678981.tif 000004
【図４】
0003678981.tif 000005
【図５】
0003678981.tif 000006
【図６】
0003678981.tif 000007